(57)【特許請求の範囲】
【請求項１】
大引の上面に敷設される複数の床板と、それら床板の先端に跨って取り付けられる幕板との接合用金具であって、前記床板の下面に固定される第１の固定プレートと、幕板の内側の側面に固定される第２の固定プレートとが一体に連設され、第２の固定プレートには、デッキ床の内側から幕板へビス又は釘等の固定具をねじ込むか又は打ち込むための固定用穴が設けられており、前記第２の固定プレートは、幕板の側面に対して斜め下向きとなる傾斜片を備え、その傾斜片に設けられた固定用穴へ斜め下方からビス又は釘等の固定具を挿入するようにしたことを特徴とするデッキ床の接合用金具。
【請求項２】
前記傾斜片は、第１の固定プレートと第２の固定プレートの間に跨って設けられている請求項１記載のデッキ床の接合用金具。
【請求項３】
前記傾斜片の固定用穴は、その固定用穴に差し込んだネジ又は釘等が、幕板にのみにねじ込まれるか打ち込まれる位置に設けられている請求項２記載のデッキ床の接合用金具。
【請求項４】
前記第２の固定プレートには、その下端部から床外側方向へ水平に張り出して幕板の下面と当接する当接片が備えられている請求項１乃至３のいずれかに記載のデッキ床の接合用金具。
【発明の詳細な説明】
【０００１】
【発明の属する技術分野】
この発明は、住宅の庭先に設けられるウッドデッキ等のデッキ床の接合用金具及び接合構造に関する。
【０００２】
【従来の技術】
一般に、デッキ床は、図６及び７に示すように、束石(50)(50)…上に立設された複数の束(51)(51)…の上端間に跨がるようにして取り付けられる大引(52)(52)と、それら大引(52)(52)上にこれと直交するようにして設置される床板(54)(54)…と、それら床板(54)(54)…を囲むようにして取り付けられる幕板(55)(55)(56)とからなる。
【０００３】
また、幕板(55)(55)(56)としては、大引(52)(52)に対して直交して配される側面幕板(55)(55)と、大引(52)(52)に対して平行に配される前面幕板(56)とがある。これら大引(52)(52)、床板(54)(54)…及び幕板(55)(55)(56)は、互いにビス(57)(57)…又は釘等によって接合されている。
【０００４】
例えば、床板(54)(54)…の先端に跨るようにして取り付けられる前面幕板(56)は、その前面幕板(56)の外側の側面からねじ込んだビス(57)(57)…を、さらにその床板(54)(54)…の先端にねじ込むようにして、それら床板(54)(54)…と接合されている。
【０００５】
【発明が解決しようとする課題】
しかし、上記のような接合構造では、前面幕板(55)の外側の側面(58)すなわちデッキ床の外表面にビス頭が露出し、そのデッキ床の外観を損なう原因となっていた。
【０００６】
また、接合に際しては、手や仮置き台等を使って幕板(56)を支えながら、ビス(57)(57)…をねじ込まなければならず、接合作業が面倒であった。
【０００７】
そこで、この発明は、上記不具合を解消し、デッキ床の床板と幕板とを簡単に接合することができ、しかも、デッキ床の外観を良好に仕上げることができるデッキ床の接合用金具及び接合構造を提供することを目的とする。
【０００８】
【課題を解決するための手段】
上記課題を解決するため、この発明のデッキ床の接合用金具は、大引の上面に敷設される複数の床板と、それら床板の先端に跨って取り付けられる幕板との接合用金具であって、前記床板の下面に固定される第１の固定プレートと、幕板の内側の側面に固定される第２の固定プレートとが一体に連設され、第２の固定プレートには、デッキ床の内側から幕板へビス又は釘等の固定具をねじ込むか又は打ち込むための固定用穴が設けられており、前記第２の固定プレートは、幕板の側面に対して斜め下向きとなる傾斜片を備え、その傾斜片に設けられた固定用穴へ斜め下方からビス又は釘等の固定具を挿入するようにしたことを特徴とする。
【０００９】
また、この前記傾斜片は、第１の固定プレートと第２の固定プレートの間に跨って設けられている。そして、前記傾斜片の固定用穴は、その固定用穴に差し込んだネジ又は釘等が、幕板にのみにねじ込まれるか打ち込まれる位置に設けられている。
【００１０】
具体的には、前記第２の固定プレートには、その下端部から床外側方向へ水平に張り出して幕板の下面と当接する当接片が備えられている。
【００１２】
【発明の実施の形態】
以下、この発明の実施形態を図面に基づいて詳細に説明する。図２に示すように、この発明の一実施形態に係るデッキ床(１)の接合用金具(２)は、大引(３)(３)…の上面に敷設される複数の床板(４)(４)…と、それら床板(４)(４)…の先端に跨って取り付けられる前面幕板(６)とを接合するための金具である。
【００１３】
図１に示すように、接合用金具(２)は、例えば床板(４)の下面(７)に固定される水平な第１の固定プレート(８)と、その第１の固定プレート(８)の前面幕板(６)側端部から垂下しその前面幕板(６)の内側の側面(９)に固定される第２の固定プレート(10)とを、側面視略倒Ｌ字形に連設してなる。
【００１４】
第１の固定プレート(８)には、デッキ床(１)の内側から床板(４)へビス(28)をねじ込むための一対の固定用穴(11)(11)が、例えば前面幕板(６)の長手方向に間隔をあけて設けられている。
【００１５】
第２固定プレート(10)には、図３に示すように、その下端部から床外側方向へ水平に張り出した当接片(12)が備えられている。
【００１６】
また、第２の固定プレート(10)には、デッキ床(１)の内側から前面幕板(６)へビス(31)(32)をねじ込むための固定用穴として、一対の第１のビス挿通穴(13)(13)、及び、第２のビス挿通穴(14)が設けられている。
【００１７】
第１のビス挿通穴(13)(13)は、例えば第２固定プレート(10)の鉛直下方向中央やや下側付近を、前面幕板(６)とは反対側へ張り出すようにして側面視略く字形に折り曲げて形成した折曲部(15)に設けられている。
【００１８】
具体的には、前記折曲部(15)の下側の傾斜片(17)に、前面幕板(６)の長手方向に間隔をあけて設けられている。なお、この傾斜片(17)は、例えば第２の固定プレート(10)に対して約３０°傾斜するよう形成されている。
【００１９】
第２のビス挿通穴(14)は、例えば第１の固定プレート(８)と第２の固定プレート(10)の間のコーナー部分(20)には、その中央付近を凹入させることで凹入部(18)が形成されている。この凹入部は、一対の側片とこれら側片間を連結する傾斜片(21)からなり、この傾斜片(21)に固定用穴としての第２のビス挿通穴(14)が形成されている。なお、この傾斜片(21)は、例えば第２の固定プレート(10)に対して約４５°傾斜するように形成されている。
【００２０】
さらに、この第２のビス挿通穴(14)は、例えば傾斜片(21)の中央やや下寄りに設けられており、その第２のビス挿通穴(14)に差し込んだネジが幕板(６)と床板(４)の合わさった接合部分を回避するようにして、前面幕板(６)にのみねじ込まれるようになっている。
【００２１】
なお、上記接合用金具(２)は、金属プレートを折曲成形してなるものであるが、デッキ床用として十分な強度を有するものであれば、素材は金属に限定されず、また、折曲成形したものでなくても良い。
【００２２】
上記構成接合用金具(２)を使用した床板(４)と前面幕板(６)との接合について説明する。
【００２３】
まず、大引(３)(３)…に敷設される床板(４)(４)…の前面側先端に接合用金具(２)(２)…を取り付ける。なお、これら接合用金具(２)(２)…は、必ずしも全ての床板(４)(４)…に取り付ける必要はなく、図２に示すように、例えば適宜間隔をあけるようにして、一部の床板(４)(４)に取り付けている。
【００２４】
この取り付けに際しては、接合用金具(２)は、第１の固定プレート(８)の上面(26)を、床板(４)の下面(７)に当接させるとともに、第１の固定プレート(８)と第２の固定プレート(10)のコーナー(20)を、前記床板(４)の先端面(27)の下端縁に合わせて配置した状態で、固定用穴(11)(11)に差し込んだビス(28)(28)を床板(４)にねじ込むようにしている。
【００２５】
そして、接合用金具(２)が取り付けられた床板(４)を大引(３)(３)…上に設置する。このとき、図４に示すように、床板(４)を傾けながら接合用金具(２)の当接片(12)を前面幕板(６)の下面(30)に下側から当接させるとともに、第２の固定プレート(10)を前面幕板(６)の内側の側面(９)に当接させる。これによって、前面幕板(６)は、接合用金具(２)の第２の固定プレート(10)に支持されて仮置きされた状態となっている。
【００２６】
この状態で、デッキ床(１)の内側から、第２の固定プレート(10)の第１のビス挿通穴(13)(13)及び第２のビス挿通穴(14)に斜め下方から差し込んだビス(31)(31)(32)を、前面幕板(６)の内側の側面(９)へねじ込むようにして、第２の固定プレート(10)が前面幕板(６)に固定されると、前面幕板(６)と床板(４)が接合用金具(２)を介して接合される。
【００２７】
特に、第２のビス挿通穴(14)に差し込まれて前面幕板(６)にねじ込まれるビス(32)は、前面幕板(６)を床内側方向へ引きつける役割を果たす。また、第１のビス挿通穴(13)(13)に差し込まれて前面幕板(６)にねじ込まれるビス(31)(31)は、前面幕板(６)を接合用金具(２)に固定する役割を果たす。
【００２８】
なお、接合用金具(２)を床板(４)及び幕板(６)への取り付ける際は、ビス(28)(31)(32)をねじ込む以外に、釘を打ち込む等して行っても良い。
【００２９】
また、デッキ床に使用される大引(３)(３)…、床板(４)(４)…及び幕板(５)(５)(６)は、例えば木粉と廃棄プラスチックを混ぜ合わせてなる樹脂木と呼ばれるいわゆる廃材を利用した素材からなるもので、内部がくり抜かれた中空であるとともに、その両端部の開口には、図示しない穴塞ぎ材が詰められている。このような木材を使用することによって、デッキ床の軽量化及び省資源化が図られている。なお、これら大引(３)(３)…、床板(４)(４)…及び幕板(５)(５)(６)は、木材を加工したものであっても良い。
【００３０】
次に、この接合用金具(２)を、図５に示すような、２枚の外壁(40)(41)に挟まれた入隅に設けるデッキ床(42)に使用する場合について説明する。なお、図５において、図２のデッキ床(１)と同様の機能を有する部材等には、同符号を付してある。
【００３１】
入隅に設けられるデッキ床(42)の場合、大引(３)(３)…の外壁(40)に対向する側の先端には側面幕板(５)を取り付けず、他方の先端にのみ側面幕板(５)を取り付ける。大引(３)(３)…の前記外壁(40)に対向する側の先端には、その外壁(40)に沿うようにして接合用金具(２)付きの床板(４)を取り付ける。
【００３２】
前面幕板(６)を、前記床板(４)の先端と側面幕板(５)の先端とに跨って取り付ける際は、その前面幕板(６)の一方の端部を、前記床板(４)の接合用金具(２)の当接片(12)に載置するとともに、他方の端部を、側面幕板(５)に取り付けられた金具(43)に載置するようにして仮置した状態で、図示しないビスで固定する。
【００３３】
この発明は、上記実施形態に限定されるものではなく、この発明の範囲内で上記実施形態に多くの修正及び変更を加え得ることは勿論である。
【００３４】
【発明の効果】
以上の説明から明らかなように、この発明のデッキ床の接合用金具は、幕板の内側の側面に固定される第２の固定プレートに、デッキ床の内側からビス又は釘等の固定具をねじ込むか又は打ち込むための固定用穴が設けられているため、デッキ床の人目に付き易い位置すなわち幕板の外側の側面や床板の上面にビス頭等が露出することがなく、デッキ床の外観を良好に仕上げることが出来る。
【００３５】
さらに、幕板の側面に対して斜め下向きとなる傾斜片を備え、その傾斜片に設けられた固定用穴へ斜め下方からビス又は釘等の固定具を挿入するようにしているため、ねじ締め用の工具等が大引と干渉し難く、ビス止め作業を簡単に行うことができる。
【００３６】
特に、第１の固定プレートと第２の固定プレートの間の傾斜片の固定用穴に差し込んだビス等が、幕板と床板との接合部分を回避して幕板のみにねじ込まれるようになっているため、そのビス等が床板に当たってその床板を押し上げることがなく、幕板を床板に隙間なく効率的に接合させることができる。
【００３７】
さらに、第２の固定プレートには、幕板の下面と当接する当接片が備えられているため、幕板を当接片によって下側から支えながら、接合作業を簡単に行うことができる。
【００３８】
また、接合用金具の幕板への取り付けは、接合用金具の幕板に対する上下方向の位置出しを、幕板の下面に当接片の上面を当接させるだけの簡単な作業で正確に行うことが出来る。
【図面の簡単な説明】
【図１】  この発明の実施形態に係る接合金具の取り付け状態を示す図である
【図２】床板の取り付け状態を示す図である。
【図３】接合状態を示す縦断面図である。
【図４】床板を大引に載置するときの状態を示す図である。
【図５】入隅に設けられるデッキ床において幕板の取り付け状態を示す図である。
【図６】従来のデッキ床を示す図である。
【図７】同じく、その出隅付近を示す拡大図である。
【符号の説明】
(２)  接合用金具
(３)  大引
(４)  床板
(５)(６)  幕板
(７)  床板の下面
(８)  第１の固定プレート
(９)  幕板の内側の側面
(10)  第２の固定プレート
(11)(13)(14)  固定用穴
(12)  当接片
(17)(21)  傾斜片
(28)(31)(32)  ビス
(30)  幕板の下面
【図１】
0003842678.tif 000002
【図２】
0003842678.tif 000003
【図３】
0003842678.tif 000004
【図４】
0003842678.tif 000005
【図５】
0003842678.tif 000006
【図６】
0003842678.tif 000007
【図７】
0003842678.tif 000008